(57)【要約】【課題】この発明は、投射型表示装置を前後方向から見て水平状態となるように配置させやすくなる投射型表示装置を提供することを目的とする。【解決手段】投射型表示装置において、投射型表示装置本体を前後方向から見た場合の左右方向の傾斜角および傾斜の向きを検出する傾斜角検出器、ならびに傾斜角検出器によって検出された傾斜角および傾斜の向きを表示させる表示手段を備えている。表示手段としては、例えば、傾斜角検出器によって検出された傾斜角の値を表示するとともに、傾斜角検出器によって検出された傾斜の向きを表す模式図を表示するものが用いられる。【選択図】  図１
2005043465.tif 000002
【特許請求の範囲】
【請求項１】
投射型表示装置本体を前後方向から見た場合の左右方向の傾斜角および傾斜の向きを検出する傾斜角検出器、ならびに
傾斜角検出器によって検出された傾斜角および傾斜の向きを表示させる表示手段、を備えていることを特徴とする投射型表示装置。
【請求項２】
表示手段は、傾斜角検出器によって検出された傾斜角の値を表示するとともに、傾斜角検出器によって検出された傾斜の向きを表す模式図を表示するものであることを特徴とする請求項１に記載の投射型表示装置。
【発明の詳細な説明】
【０００１】
【発明の属する技術分野】
この発明は、液晶プロジェクタ等の投射型表示装置に関する。
【０００２】
【従来の技術】
液晶プロジェクタを設置する際には、液晶プロジェクタ本体を正面または背面側から見て（前後方向から見て）、水平状態となるように、つまり、左右方向に傾きがないように、配置する必要がある。
【０００３】
液晶プロジェクタ本体の底面の前側には、液晶プロジェクタを斜め上向きに配置するためおよび左右方向の傾きを調整するために、左右一対の高さ調整自在な脚が設けられており、それらの脚の長さを調整することにより、前後方向から見て左右方向の傾きがないように液晶プロジェクタ本体を配置するようにしている。
【０００４】
ところで、左右の脚の高さ調整は、液晶プロジェクタによってスクリーン上に投射されている映像の輪郭を見ながら、操作者が手動で行っている。しかしながら、液晶プロジェクタ本体は斜め上向きに配置されることが多く、液晶プロジェクタによって投射されている映像が歪んでいるため、映像を見ながらの調整は難しく、熟練を要するという問題がある。
【０００５】
【発明が解決しようとする課題】
この発明は、投射型表示装置を前後方向から見て水平状態となるように配置させやすくなる投射型表示装置を提供することを目的とする。
【０００６】
【課題を解決するための手段】
この発明による投射型表示装置は、投射型表示装置本体を前後方向から見た場合の左右方向の傾斜角および傾斜の向きを検出する傾斜角検出器、ならびに傾斜角検出器によって検出された傾斜角および傾斜の向きを表示させる表示手段を備えていることを特徴とする。
【０００７】
表示手段としては、たとえば、傾斜角検出器によって検出された傾斜角の値を表示するとともに、傾斜角検出器によって検出された傾斜の向きを表す模式図を表示するものが用いられる。
【０００８】
【発明の実施の形態】
以下、図面を参照して、この発明を液晶プロジェクタに適用した場合の実施の形態について説明する。
【０００９】
図１は、液晶プロジェクタの電気的構成を示している。
【００１０】
入力映像信号は映像信号処理回路１に送られ、信号処理が施される。映像信号処理回路１によって信号処理が施された信号は合成回路３に送られ、ＯＳＤ信号発生回路２によって発生せしめられたＯＳＤ信号と合成される。合成回路３の出力は、駆動回路４を介して液晶パネル５に送られる。液晶パネル５に書き込まれた映像は投影ランプ６によって投射され、光学レンズ７を介してスクリーン２０上に表示される。
【００１１】
液晶プロジェクタの各部は、ＣＰＵ１０によって制御される。ＣＰＵ１０には、傾斜センサ１１が接続されている。この傾斜センサ１１は、液晶プロジェクタ本体を背面側から見た場合の左右方向の傾斜角度（水平基準面に対する傾斜角度）およびその傾斜の向きを検出するものである。
【００１２】
液晶プロジェクタ本体１００の前側には、図２および図３に示すように、左右一対の高さ調整自在な脚１１１、１１２が設けられている。この脚１１１、１１２によって、液晶プロジェクタ本体１００は、図３に示すように、スクリーン２０の位置に合うように、横から見て、前側が後側に比べて高くなるように、つまり、斜め上向きに配置されている。
【００１３】
液晶プロジェクタ本体１００は、背面側から見て水平状態に、つまり、左右が同じ高さになるように配置される必要がある。たとえば、背面側から見て右側に比べて左側が高くなるように、液晶プロジェクタ本体１００が左右方向に傾いた状態に配置された場合には、スクリーン２０上に投影される映像は、図４に示すように、左右方向に傾いた映像となってしまう。
【００１４】
この実施の形態による液晶プロジェクタでは、傾斜センサ１１によって、液晶プロジェクタ本体１００の左右方向の傾き角およびその傾斜の向き（背面側見て右上がりか、左上がりか）が検出される。なお、この例では、液晶プロジェクタ本体１００を背面側から見た場合に、液晶プロジェクタ本体１００の右側が左側より上がっている場合（右上がり）には、水平基準面からの傾き角が正の値で示され、液晶プロジェクタ本体の右側が左側より下がっている場合（左上がり）には、水平基準面からの傾き角が負の値で示される。
【００１５】
図５は、傾き調整モード時のＣＰＵ１０の動作を示している。
【００１６】
傾き調整モード時においては、所定時間毎に、次のような動作が繰り返し実行される。
【００１７】
まず、ＣＰＵ１０は、傾斜センサ１１から情報（液晶プロジェクタ本体の左右方向の傾き角およびその傾斜の向き）を取得する（ステップ１）。ＣＰＵ１０は、傾斜センサ１１からの情報に基づいて、液晶プロジェクタ本体が左右方向に傾いていないか否かを判別する（ステップ２）。
【００１８】
液晶プロジェクタ本体が左右方向に傾いていないと判定した場合には、つまり、液晶プロジェクタ本体が背面側から見て水平状態であると判定した場合には、図６（ａ）に示すように、傾斜角が±０度であることと、傾斜角が±０度である状態を示す模式図とをＯＳＤ表示する（ステップ３）。
【００１９】
液晶プロジェクタ本体が左右方向に傾いていると判定した場合には、その傾斜の向き（右上がりまたは左上がり）を判別する（ステップ４）。
【００２０】
液晶プロジェクタ本体が背面側から見て右上がりに傾斜していると判別した場合には、図６（ｂ）に示すように、傾斜角（正の値）と、傾斜の向きが右上がりであることを表す模式図とをＯＳＤ表示する（ステップ５）。操作者は、この表示を見て、液晶プロジェクタ本体が背面側から見て水平状態となるように、脚１１１、１１２の高さを調整する。
【００２１】
液晶プロジェクタ本体が背面側から見て左上がりに傾斜していると判別した場合には、図６（ｃ）に示すように、傾斜角（負の値）と、傾斜方向が左上がりであることを示す模式図とをＯＳＤ表示する（ステップ６）。操作者は、この表示を見て、液晶プロジェクタ本体が背面側から見て水平状態となるように、脚１１１、１１２の高さを調整する。
【００２２】
なお、上記脚１１１、１１２の長さを自動的に調整するための調整機構を設け、液晶プロジェクタ本体の左右方向の傾きが０となるように、この調整機構を傾斜センサ１１からの情報に基づいて制御するようにしてもよい。
【００２３】
【発明の効果】
この発明によれば、投射型表示装置を前後方向から見て水平状態となるように配置させやすくなる投射型表示装置を提供することを目的とする。
【図面の簡単な説明】
【図１】液晶プロジェクタの電気的構成を示すブロック図である。
【図２】液晶プロジェクタ本体の正面図である。
【図３】液晶プロジェクタ本体の側面図である。
【図４】液晶プロジェクタ本体が左右方向に傾いている場合に、スクリーン上に投射された映像を示す模式図である。
【図５】傾き調整モード時のＣＰＵ１０の動作を示すフローチャートである。
【図６】傾き調整モード時においてＯＳＤ表示される画像例を示す模式図である。
【符号の説明】
１  映像信号処理回路
２  ＯＳＤ信号発生回路
３  合成回路
４  駆動回路
５  液晶パネル
６  投影ランプ
７  光学レンズ
１０  ＣＰＵ
１１  傾斜センサ
１００  液晶プロジェクタ本体
１１１、１１２  脚
【図１】
2005043465.tif 000003
【図２】
2005043465.tif 000004
【図３】
2005043465.tif 000005
【図４】
2005043465.tif 000006
【図５】
2005043465.tif 000007
【図６】
2005043465.tif 000008